(57)【要約】【課題】穴明け加工部とスクリーン印刷部とを一体にすると共に、スクリーン作成の効率化や印刷品質の維持安定化を図る。【解決手段】連続するプラスチック製のフィルム状スクリーン１をフィルム送り出しローラ２により送り出して、未加工フィルム部１Ａにパターン穴明け加工装置７により所望の印刷パターン５の穴明けを行う。印刷パターン５を使用してスクリーン印刷部６にてスクリーン印刷が印刷部９に対して行われる。使用した印刷パターン５のある加工済みフィルム部１Ｂはフィルム巻き取りローラ３により巻き取られて回収される。パターン穴明け加工装置７を小型にして印刷装置内に配置し、穴明け加工部８とスクリーン印刷部６とを一体にすることができる。また、専用の枠に貼り付けずに印刷パターン５をスクリーン印刷部６に移動させてパターン印刷することで、安価で短時間にスクリーン印刷ができる。【選択図】図１
2009073005.tif 000002
【特許請求の範囲】
【請求項１】
連続する非金属製のフィルム状スクリーンの未加工フィルム部に対して、所望の印刷パターンを穴明け加工する第１のステップと、
前記所望の印刷パターンが穴明け加工された前記フィルム状スクリーンを、そのままスクリーン印刷部へ移動し、該スクリーン印刷部により前記所望の印刷パターンのスクリーン印刷を行う第２のステップと
を含むことを特徴とするスクリーン印刷方法。
【請求項２】
前記第２のステップによりスクリーン印刷された前記フィルム状スクリーンをそのまま移動し、該フィルム状スクリーンの前記スクリーン印刷された加工済みフィルム部を回収する第３のステップを更に含むことを特徴とする請求項１記載のスクリーン印刷方法。
【請求項３】
前記第１のステップにより前記フィルム状スクリーンの第１面から第２面方向に穴明けを行うときは、前記第２のステップにより前記フィルム状スクリーンの前記第１面側からスクリーン印刷を行うことを特徴とする請求項１又は２記載のスクリーン印刷方法。
【請求項４】
前記第１のステップにより前記フィルム状スクリーンの第１面から第２面方向に穴明けを行うときは、前記第２のステップにより前記フィルム状スクリーンの前記第２面側からスクリーン印刷を行うことを特徴とする請求項１又は２記載のスクリーン印刷方法。
【請求項５】
前記第３のステップは、前記フィルム状スクリーンの前記スクリーン印刷された加工済みフィルム部をロール状に巻き取ることにより回収することを特徴とする請求項２記載のスクリーン印刷方法。
【請求項６】
前記第３のステップは、前記フィルム状スクリーンの前記スクリーン印刷された加工済みフィルム部を裁断加工することにより回収することを特徴とする請求項２記載のスクリーン印刷方法。
【請求項７】
連続する非金属製のフィルム状スクリーンを移動する移動手段と、
前記移動手段により移動された前記フィルム状スクリーンの未加工フィルム部に対して、所望の印刷パターンを穴明け加工する穴明け加工部と、
前記移動手段により移動された、前記所望の印刷パターンが穴明け加工された前記フィルム状スクリーンの穴明け加工部を通して所望の印刷パターンのスクリーン印刷を行うスクリーン印刷部と
を有することを特徴とするスクリーン印刷装置。
【請求項８】
前記移動手段により移動された、前記スクリーン印刷部によりスクリーン印刷された前記フィルム状スクリーンの前記スクリーン印刷された加工済みフィルム部を回収する回収手段を更に有することを特徴とする請求項７記載のスクリーン印刷装置。
【請求項９】
前記穴明け加工部は、前記フィルム状スクリーンの第１面から第２面方向に穴明けを行い、前記スクリーン印刷部は、前記フィルム状スクリーンの前記第１面側からスクリーン印刷を行うことを特徴とする請求項７又は８記載のスクリーン印刷装置。
【請求項１０】
前記穴明け加工部は、前記フィルム状スクリーンの第１面から第２面方向に穴明けを行い、前記スクリーン印刷部は、前記フィルム状スクリーンの前記第２面側からスクリーン印刷を行うことを特徴とする請求項７又は８記載のスクリーン印刷装置。
【請求項１１】
前記移動手段は、折り畳まれた前記フィルム状スクリーンを引き出して前記フィルム状スクリーンの未加工フィルム部を前記穴明け加工部の位置まで移動し、該未加工フィルム部に所望の印刷パターンを穴明け加工させることを特徴とする請求項７乃至１０のうちいずれか一項記載のスクリーン印刷装置。
【請求項１２】
前記回収手段は、前記フィルム状スクリーンの前記スクリーン印刷された加工済みフィルム部をロール状に巻き取ることにより回収する手段であることを特徴とする請求項８記載のスクリーン印刷装置。
【請求項１３】
前記回収手段は、前記フィルム状スクリーンの前記スクリーン印刷された加工済みフィルム部を裁断加工することにより回収する手段であることを特徴とする請求項８記載のスクリーン印刷装置。
【発明の詳細な説明】
【技術分野】
【０００１】
本発明はスクリーン印刷方法及びスクリーン印刷装置に係り、特にスクリーン製造や交換方法の効率化を図れるスクリーン印刷方法及びスクリーン印刷装置に関する。
【背景技術】
【０００２】
プリント配線板の基板などに画像を印刷する方法として、スクリーン印刷や孔版印刷が知られている（例えば、特許文献１〜５参照）。特許文献１には、ロール状のフィルムを所定量送りながらスクリーン印刷を行う巻出し式スクリーン印刷において、フィルムの乾燥炉側を緩ませて印刷を行うスクリーン印刷方法が開示されている。
【０００３】
また、特許文献２には、ロール状とした長尺の孔版原紙からなるマスターロールから孔版原紙を引き出して印刷版を製版し、この印刷版を略円筒状の版胴の周辺に巻き付けて印刷する孔版印刷装置において、マスターロールの軸芯方向を版胴の軸芯方向と略直交させてマスターロールを配置して、孔版原紙の引き出し方向と、印刷版の版胴への巻き付け方向とを略直交させる構成の孔版印刷装置が開示されている。
【０００４】
また、特許文献３には、感熱孔版マスターに、２つのサーマルヘッドを用いて穿孔を形成し、その穿孔よりインキを透過させて印刷画像を得る孔版印刷方法が開示されている。また、特許文献４には、熱可塑性合成樹脂フィルムに穿孔画像を形成した後、インキ通過性シートと熱溶融性合成樹脂フィルムとを分離し、印刷インキをインキ通過性シートから供給して穿孔画像を通過させて被印刷体に孔版印刷を行う孔版印刷方法が開示されている。更に、特許文献５には、複数の印刷パターンを形成した帯状スクリーンを用いて、各印刷パターンを順次所定の印刷位置に供給して印刷パターンの交換を行うようにしたスクリーン印刷方法が開示されている。
【０００５】
なお、特許文献２〜４には、穴あけ加工にて連続するフィルムに印刷パターンを形成することも開示されており、特許文献１、５には印刷パターンを形成したフィルムをスクリーン印刷部に送り、そのスクリーン印刷部に送られたフィルムを回収することも開示されている。
【０００６】
【特許文献１】特開２００１−３１５３０１号公報
【特許文献２】特開２００６−００７５５９号公報
【特許文献３】特開平０６−３２０７００号公報
【特許文献４】特開平０７−３１４９３６号公報
【特許文献５】特開平１０−０１６１８５号公報
【発明の開示】
【発明が解決しようとする課題】
【０００７】
しかしながら、上記の特許文献１乃至５記載のスクリーン印刷方法や孔版印刷方法では以下の課題がある。
【０００８】
第１の課題は、使用されるスクリーンは耐久性のある金属製のものが多く使われるため、専用の大型レーザ加工機で作成したり、エッチングしたり、アディティブ法でメッキしたりして、スクリーン作成に長時間要することである。また、専用の枠にスクリーンを接着剤で貼り付けて使っているために、接着剤が乾いて、スクリーンが使えるまで、放置時間も必要で、製造リードタイムが掛かっている。
【０００９】
第２の課題は、スクリーン作成装置と印刷装置の一体となった装置を実現しようとすると大型な装置となり、特に、金属製のスクリーンに対応しようとすると高出力なレーザ加工装置が必要となり、コストも非常に高くなるということである。
【００１０】
第３の課題は、多品種対応する場合、そのスクリーンも大量に保管することとなり、保管スペースが必要となり、また、スクリーンの管理も大変になるということである。
【００１１】
第４の課題は、メタル製スクリーンは高価であり、再作成にも時間がかかるため、表面が打痕したり、枠とのテンションが無くなったりしても使わざる得ない場合もあり、印刷品質を悪化させるということである。また、試作等や少量生産の場合でも、印刷用スクリーンは必要なため、高価なメタル製スクリーンを作成しなければならないという問題もある。
【００１２】
本発明は以上の点に鑑みなされたもので、穴明け加工部とスクリーン印刷部とを一体化した小型な装置構成とし得るスクリーン印刷方法及びスクリーン印刷装置を提供することを目的とする。
【００１３】
また、本発明の他の目的は、スクリーン作成の効率化や印刷品質の維持安定化を図ることができるスクリーン印刷方法及びスクリーン印刷装置を提供することにある。
【課題を解決するための手段】
【００１４】
本発明のスクリーン印刷方法は、上記の目的を達成するため、連続する非金属製のフィルム状スクリーンの未加工フィルム部に対して、所望の印刷パターンを穴明け加工する第１のステップと、所望の印刷パターンが穴明け加工されたフィルム状スクリーンを、そのままスクリーン印刷部へ移動し、スクリーン印刷部により所望の印刷パターンのスクリーン印刷を行う第２のステップとを含むことを特徴とする。
【００１５】
また、本発明のスクリーン印刷装置は、上記の目的を達成するため、連続する非金属製のフィルム状スクリーンを移動する移動手段と、移動手段により移動されたフィルム状スクリーンの未加工フィルム部に対して、所望の印刷パターンを穴明け加工する穴明け加工部と、移動手段により移動された、所望の印刷パターンが穴明け加工されたフィルム状スクリーンの穴明け加工部を通して所望の印刷パターンのスクリーン印刷を行うスクリーン印刷部とを有することを特徴とする。
【発明の効果】
【００１６】
本発明によれば、所望の印刷パターンを穴明け加工する穴明け加工部を小型にして印刷装置内に配置し、穴明け加工部とスクリーン印刷部とを一体にした小型なスクリーン印刷装置を構成することができる。また、本発明によれば、安価で短時間にスクリーン印刷ができると共に、容易に再作成が可能なので、すぐに対応でき印刷品質を維持できる。
【発明を実施するための最良の形態】
【００１７】
次に、本発明を実施するための最良の形態について図面と共に詳細に説明する。
【００１８】
（第１の実施形態）
図１は本発明になるスクリーン印刷装置の第１の実施形態の断面図、図２は本発明になるスクリーン印刷装置の第１の実施形態の斜視図を示す。両図中、同一構成部分には同一符号を付してある。図１及び図２において、連続したフィルム状スクリーン１は、非金属製（例えば、プラスチック製）で可撓性のあるフィルム状スクリーンで、フィルム送り出しローラ２により図１中、左から右方向へ送り出され、フィルム巻き取りローラ３によって回収される。フィルム送り出しローラ２とフィルム巻き取りローラ３は、ロール状に巻き付けられたフィルム状スクリーン１を固定及び固定解除する機構（図示せず）を有し、パターン穴明け加工時やスクリーン印刷時に所定の張力を維持する構造となっている。
【００１９】
また、フィルム送り出しローラ２とフィルム巻き取りローラ３との間には、テンション調整部４が設けられ、フィルム送り出しローラ２とフィルム巻き取りローラ３との間の張力が調整される。このテンション調整部４は設けられない場合もある。連続したフィルムの供給形態は、ロール状の巻かれたものを供給したり、折り畳まれたものである。フィルム状スクリーン１を巻き取ってからの回収形態は、ロール状に巻き取ったり、そのまま裁断装置で切り取られたりするものである。穴明け加工装置７は穴明け加工部８を構成している。本実施形態では、パターン穴明け加工を行う穴明け加工部８と、スクリーン印刷を行うスクリーン印刷部６とが一体化された構成とされている。これはプラスチック製のフィルム状スクリーン１を用いることで、パターン穴明け加工装置７を小型にして印刷装置内に配置することができるためである。
【００２０】
フィルム送り出しローラ２とテンション調整部４との間にはパターン穴明け加工装置７が設けられている。また、テンション調整部４とフィルム巻き取りローラ３との間にはスクリーン印刷部６が設けられている。スクリーン印刷部６は、印刷物９が載置されるサポートプレート１０、被印刷材料１２により印刷を行うスキージ１１などからなる。
【００２１】
次に、本実施形態の動作について説明する。図１及び図２において、フィルム送り出しローラ２から送り出された連続したフィルム状スクリーン１の未加工フィルム部１Ａは、まず、穴明け加工部８に移動してきて、ここでパターン穴明け加工装置７により所望の印刷パターン５が穴明け加工されて加工済みフィルム部１Ｂとなる。その加工済みフィルム部１Ｂは、テンション用ローラからなる中間のテンション調整部４を中継して、フィルム巻き取りローラ３によって移動してスクリーン印刷部６に送られて、スクリーン印刷に使用される。
【００２２】
すなわち、スキージ１１を、静止しているフィルム状スクリーン１の印刷パターン５を通して下面方向に加圧しつつ移動させることで、印刷パターン５の穴あき部分に被印刷材料１２を透過させ、これにより、サポートプレート１０上に置かれた印刷物９に印刷が行われる。その後、スクリーン印刷に使用した印刷パターン５が形成された加工済みフィルム部１Ｂは、そのまま、フィルム巻き取りローラ３により回収エリアに送られて巻き取られて収納される。本実施形態では、同じ印刷パターン５を加工したフィルム部で連続して印刷することもできるし、１枚毎に機種切替して印刷することも可能である。
【００２３】
このように、本実施形態によれば、連続した未加工のプラスチック製のフィルム状スクリーン１を引き出し送りながら加工することで、所望の印刷パターンを穴明け加工する穴明け加工部８を小型にして印刷装置内に配置し、穴明け加工部８とスクリーン印刷部６とを一体にした小型なスクリーン印刷装置を構成することができる。また、本実施形態によれば、連続した未加工フィルム部１Ａを用いることで収納スペースを小さくし、未加工フィルム部１Ａを引き出して印刷パターンを穴明け加工し、専用の枠に貼り付けずにそのまま印刷パターン５をスクリーン印刷部６に移動させてパターン印刷するようにしたため、安価で短時間に印刷スクリーンができると共に、生産準備期間が短くて済む。そのため、試作等や少量生産にも向いている。
【００２４】
更に、本実施形態では、機種切替する場合には、新たに未加工フィルム部１Ａよりパターン加工して、機種切替してパターン印刷し、印刷終了後にそのままフィルム巻き取りローラ３で収納することで、従来のようなスクリーンの管理や保管スペースを削減することが可能となる。また更に、本実施形態では、必要な場合には、容易に印刷パターン５の穴明け作成が可能であり、スクリーン印刷された印刷物を再作成することができる。また、印刷用スクリーンは長期に使っていると傷が付いたりして表面状態が悪くなるが、本実施形態によれば、印刷品質が悪化すれば、容易に再作成が可能なので、表面状態の劣化にすぐに対応でき印刷品質を維持できる。
【００２５】
（第２の実施形態）
次に、本発明の第２の実施形態について説明する。図３は本発明になるスクリーン印刷装置の第２の実施形態の斜視図を示す。両図中、図１及び図２と同一構成部分には同一符号を付してある。図３に示す実施形態は、パターン加工部８の加工面とスクリーン印刷部６の印刷面を同一面にした実施形態で、巻かれている未加工のロール状のフィルムを引き出して加工し、加工済みのフィルムをロール状に巻き取り回収する装置である。この実施形態では、テンション調整部４を有しておらず、フィルム送り出しローラ２とフィルム巻取りローラ３との間にロール状に巻かれたフィルム状スクリーン１は、容易にテンションをかけて弛まないように張れるという利点がある。
【００２６】
次に、本実施形態の動作について、図４Ａ〜図４Ｄと共に説明する。なお、図４Ａ〜図４Ｄには動作に直接関係する部分のみ図示しており、他の部分の図示は便宜上、省略してある。まず、図４Ａに示すように、ロール状に巻かれたフィルム状スクリーン１の未加工フィルム部１Ａを穴明け加工部８まで引き出し、小型のパターン穴明け加工装置７で、印刷パターン５を穴明け加工する。ここで、フィルム状スクリーン１を引き出しながら穴明け加工することで、パターン穴明け加工装置７を最小限に動かすだけで、大型の被印刷物にも、加工することができるという利点がある。
【００２７】
続いて、図４Ｂに示すように、穴明け加工されたフィルム状スクリーン１を枠に貼り付けずにそのまま印刷パターン５をスクリーン印刷部６の位置にまで移動させて静止させる。ロール状態であれば、容易にフィルム状スクリーン１にテンションをかけて弛まない様に張れる。
【００２８】
続いて、図４Ｃに示すように、スキージ１１を、印刷パターン５を通して下面方向に加圧しつつ移動させることで、印刷パターン５の穴あき部分を被印刷材料が透過することで、サポートプレート（図示せず）上に置かれた印刷物にパターン印刷が行われる。その後、図４Ｄに示すように、パターン印刷終了の加工済みフィルム部１Ｂをフィルム巻き取りローラ３に巻き取って収納する。
【００２９】
本実施形態は、ロール状に巻いたフィルム状スクリーン１の未加工フィルム部１Ａを引き出してからパターン加工し、フィルム状スクリーン１を送らないで、そのままの位置で印刷し、使用後は、加工済みフィルム部１Ｂを巻き取りながら回収する例である。２本のロール状のローラ２及び３でテンションを張り、中間のテンション用ローラを経由しない構造例である。本実施形態によれば、第１の実施形態と同様の効果が得られる。また、非常に小スペースに、パターン穴明け加工装置７と印刷用スキージ１１とを配置することができる。
【００３０】
（第３の実施形態）
次に、本発明の第３の実施形態について説明する。図５は本発明になるスクリーン印刷装置の第３の実施形態の斜視図を示す。同図中、図１乃至図３と同一構成部分には同一符号を付してある。図５に示す実施形態では、折り畳まれたフィルム状スクリーン１を引き出して加工し、加工済みフィルム部１Ｂは裁断加工される装置の例で、第２の実施形態の応用例である。
【００３１】
次に、本実施形態の動作について説明する。図５において、折り畳まれたフィルム状スクリーン１の未加工フィルム部１Ａは、回動するフィルム送り出しローラ２Ａと２Ｂとにより上下方向から圧接されつつ穴明け加工部８まで引き出されて、小型のパターン穴明け加工装置７で、印刷パターン５が穴明け加工される。続いて、フィルム状スクリーン１を上下方向から圧接しながら回動するフィルム巻き取りローラ３Ａ、３Ｂの引張力により、穴明け加工されたフィルム状スクリーン１を枠に貼り付けずにそのまま印刷パターン５をスクリーン印刷部６の位置に引き出す。フィルム巻き取りローラ３Ａ、３Ｂの回動速度をフィルム送り出しローラ２Ａ、２Ｂの回動速度より速くすることで、容易にテンションをかけて弛まない様に張れる。
【００３２】
続いて、スキージ１１を、印刷パターン５を通して下面方向に加圧しつつ移動させることで、印刷パターン５の穴あき部分を被印刷材料が透過することで、サポートプレート（図示せず）上に置かれた印刷物にパターン印刷が行われる。その後、パターン印刷が終了した印刷パターン５のある加工済みフィルム部１Ｂがフィルム巻き取りローラ３Ａ、３Ｂの引張力により、裁断装置１３Ａ、１３Ｂまで移動してきて、裁断装置１３Ａ、１３Ｂにより裁断加工される。裁断後の加工済みフィルム部１Ｂは、回収エリアにそのまま回収される。
【００３３】
このように、本実施形態では、加工済みフィルム部１Ｂは、裁断加工されるので、巻き取る必要がなく、他の実施形態に比べて更に装置の小型化が可能になる。また、本実施形態は、第１の実施形態と同様の利点がある。また、本実施形態によれば、加工済みフィルム部１Ｂの後処理が容易になるという利点がある。
【００３４】
（第４の実施形態）
次に、本発明の第４の実施形態について説明する。図６は本発明になるスクリーン印刷装置の第４の実施形態の斜視図を示す。同図中、図１乃至図３と同一構成部分には同一符号を付してある。図６に示す実施形態の構成は、図３に示した第２の実施形態の構成と基本的に同じであるが、フィルム状スクリーン１の未加工フィルム部１Ａの加工面が第２の実施形態と裏表逆である点が相違する。本実施形態は第２の実施形態と同様の特長を有する。
【００３５】
（第５の実施形態）
次に、本発明の第５の実施形態について説明する。図７は本発明になるスクリーン印刷装置の第５の実施形態の斜視図を示す。同図中、図１乃至図３と同一構成部分には同一符号を付してある。本実施形態は、穴明け加工部８におけるパターン穴明け加工装置７により印刷パターン５が穿設される未加工フィルム部１Ａの面と、スクリーン印刷部６のスキージ１１による印刷面とが垂直に交差して、印刷パターン５を未加工フィルム部１Ａの裏面より加工する装置の例である。
【００３６】
次に、本実施形態の動作について説明する。図７に示すように、パターン穴明け加工装置７は、スクリーン印刷部６の下部に配置されており、ロール状に巻かれたフィルム状スクリーン１の未加工フィルム部１Ａに対して、印刷パターン５を穴明け加工する。続いて、印刷パターン５が穴明け加工されたフィルム状スクリーン１が、ローラ１４により垂直方向に移動方向が曲げられた後、枠に貼り付けずにそのままスクリーン印刷部６の上部位置に移動される。
【００３７】
続いて、スキージ１１を、被印刷材料が印刷パターン５を通して下面方向に加圧しつつ移動させることで、印刷パターン５の穴あき部分を被印刷材料が透過することで、サポートプレート（図示せず）上に置かれた印刷物にパターン印刷が行われる。その後、パターン印刷終了の加工済みフィルム部１Ｂをフィルム巻き取りローラ３に巻き取って収納する。
【００３８】
本実施形態は、印刷パターン５を、レーザを用いて加工する場合、スクリーン印刷部６の下部にパターン穴明け加工装置（レーザ装置）を配置し、フィルム状スクリーン１の未加工フィルム部１Ａの裏面にレーザを照射して、印刷パターン５を穴明け加工する。このため、印刷パターン５の穴明け部分の断面は、フィルム状スクリーン１の裏面から表面に行くに従って径が大きくなるテーパ形状となる。この断面のテーパ形状は、第１〜第３の実施形態とは逆となる。
【００３９】
一方、図７に示すように、スキージ１１は印刷パターン５が形成されているフィルム状スクリーン１の穴明けの径が大きな表面（第１面）から径の小さな裏面（第２面）方向へ被印刷材料を穴明け部を透過させて印刷するので、上記の各実施形態に比べて、本実施形態は印刷時の印刷品質を向上することができる。また、印刷時のスキージ面と加工面が違うので、加工時のバリなどを気にしなくて印刷できる。
【産業上の利用可能性】
【００４０】
本発明の活用例として、パターン加工装置と印刷装置を一体として装置が挙げられる。
【図面の簡単な説明】
【００４１】
【図１】本発明のスクリーン印刷装置の第１の実施形態の断面図である。
【図２】本発明のスクリーン印刷装置の第１の実施形態の斜視図である。
【図３】本発明のスクリーン印刷装置の第２の実施形態の斜視図である。
【図４Ａ】本発明のロール状に巻かれた未使用のフィルム１Ａをパターン加工部８まで引き出し、小型のパターン穴加工装置で、印刷パターンを穴明け加工している図である。
【図４Ｂ】本発明の穴明け加工されたフィルムを枠に貼り付けずにそのままパターン部５をスクリーン印刷部６の位置に引き出し図である。
【図４Ｃ】本発明のスキージを使ってパターン印刷している図である。
【図４Ｄ】本発明の印刷終了後に、使用済みフィルムを巻き取って収納した図である。
【図５】本発明のスクリーン印刷装置の第３の実施形態の斜視図である。
【図６】本発明のスクリーン印刷装置の第４の実施形態の斜視図である。
【図７】本発明のスクリーン印刷装置の第５の実施形態の斜視図である。
【符号の説明】
【００４２】
１  フィルム状スクリーン
１Ａ  未加工フィルム部
１Ｂ  加工済みフィルム部
２、２Ａ、２Ｂ  フィルム送り出しローラ
３、３Ａ、３Ｂ  フィルム巻き取りローラ
４  テンション調整部
５  印刷パターン
６  スクリーン印刷部
７  パターン穴明け加工装置
８  穴明け加工部
９  印刷物
１０  サポートプレート
１１  スキージ
１２  被印刷材料
１３Ａ、１３Ｂ  裁断装置
１４  ローラ
【図１】
2009073005.tif 000003
【図２】
2009073005.tif 000004
【図３】
2009073005.tif 000005
【図４Ａ】
2009073005.tif 000006
【図４Ｂ】
2009073005.tif 000007
【図４Ｃ】
2009073005.tif 000008
【図４Ｄ】
2009073005.tif 000009
【図５】
2009073005.tif 000010
【図６】
2009073005.tif 000011
【図７】
2009073005.tif 000012